(57)【特許請求の範囲】
【請求項１】
ヒンジ部によって回動可能に連結され、その内側の面が互いに向き合うように折り畳み可能に構成された第１の筐体と第２の筐体を備えた携帯電話機において、
前記第１の筐体の内側の面に設けられた第１の表示部と、該第１の筐体の長手方向先端部に内蔵された受話部と、前記第２の筐体の内側の面に設けられた複数のキー配列を有する操作部と、前記第２の筐体の側面に設けられた回動軸を中心として該側面内で回動可能なアームと、該アームの先端部に取り付けられ前記第１及び第２の筐体が開かれているときに前記第２の筐体の長手方向先端部側に位置し前記第１及び第２の筐体が折り畳まれているときに前記第２の筐体のヒンジ部側に位置するように前記アームにより移動可能な送話部とを備え、
前記第１及び第２の筐体が開かれているときには、前記第１の筐体の長手方向先端部に内蔵された受話部と前記第２の筐体の長手方向先端部側に移動した前記送話部により通話が可能に構成され、前記１及び第２の筐体が折り畳まれているときには、前記第１の筐体の長手方向先端部に内蔵された受話部と前記第２の筐体のヒンジ部側に移動した前記送話部により通話が可能に構成されていることを特徴とする折り畳み可能な携帯電話機。
【請求項２】
前記第２筐体の内側の面のサイズと前記第１筐体の内側の面に設けられた第１の表示部のサイズがほぼ等しく構成され、前記１及び第２の筐体が折り畳まれているとき、前記第２の筐体と前記受話部とが重ならないように構成されていることを特徴とする請求項１記載の折り畳み可能な携帯電話機。
【請求項３】
前記第１及び第２の筐体が開かれている状態では通話機能及び通話機能以外のアプリケーション機能が可能に構成され、前記第１及び第２の筐体が折り畳まれている状態では通話機能のみが可能に構成されていることを特徴とする請求項１または２記載の折り畳み可能な携帯電話機。
【請求項４】
前記アプリケーション機能として、Ｅメール機能及びゲーム機能を備えていることを特徴とする請求項３記載の折り畳み可能な携帯電話機。
【請求項５】
前記第２の筐体の背面に、通話に最低限必要な操作を行う操作スイッチと、前記第１の表示部よりも表示容量の小さい第２の表示部が設けられていることを特徴とする請求項１〜４のいずれかに記載の折り畳み可能な携帯電話機。
【請求項６】
前記前記第１及び第２の筐体が開かれている状態と折り畳まれている状態を検出するセンサ部が設けられ、前記センサ部の検出出力により、前記第１の表示部と前記第２の表示部への電力供給を切り換える手段が設けられていることを特徴とする請求項５記載の折り畳み可能な携帯電話機。
【請求項７】
前記携帯電話機は、ＦＤＭＡ方式、ＴＤＭＡ方式、ＣＤＭＡ方式、または、ＰＨＳ（簡易型携帯電話）方式のいずれかの方式による携帯電話機であることを特徴とする請求項１〜６のいずれかに記載の折り畳み可能な携帯電話機。
【発明の詳細な説明】
【０００１】
【発明の属する技術分野】
本発明は、ＦＤＭＡ方式、ＴＤＭＡ方式、ＣＤＭＡ方式、または、ＰＨＳ（Personal Handyphone System：簡易型携帯電話）方式の携帯電話機に関し、特に、折り畳み可能な携帯電話機に関する。
【０００２】
【従来の技術】
従来、携帯電話機の形状として、折り畳み可能に構成された携帯電話機と非折り畳み型の携帯電話機がある。折り畳み可能な携帯電話機は、非折り畳み型の携帯電話機と比較して、（Ａ）折り畳むことで待ち受け時に小さく（コンパクトに）携帯することが可能である。（Ｂ）表示部を第１の筐体に、操作部を第２の筐体に分離することでそれぞれの面積を大きくすることが可能であり、一度に沢山の情報を表示できるため、携帯電話機によるＥメールやゲーム等のアプリケーション機能を操作する場合には便利であるとともに、より操作性のよい操作部を構成することができる。（Ｃ）折り畳むことで待ち受け時に誤って操作部が押されることもなく、また落下等による表示部の破壊も少ない。等の長所がある。
【０００３】
反面、（ａ）折り畳んだ状態から通話するためには筐体を開かねばならず、非折り畳み携帯電話機のように直ぐに通話できない。（ｂ）折り畳んだ状態では表示部が内側に収納されているため、時刻や電波状態等の情報を確認することができない。（ｃ）通話機能に限定すると表示部を大型化する必要はなく、寧ろ大型化により通話時の消費電力が増加する。等の課題がある。
【０００４】
一方、着信時に閉じた状態でも通話を可能とした折り畳み型の携帯電話機が、特開平５−３２７８４２号公報、特開平１１−１８７０９８号公報等において提案されている。
【０００５】
【発明が解決しようとする課題】
上記各公報記載の折り畳み可能な携帯電話機では、折り畳んだ状態と開いた状態では別の送受話部を必要とするため、その分のスピーカおよびマイクロホンが必要となるとともに、送受話部を開閉状態に応じて切り替え選択する手段を備える必要があり、その分コスト高となるという問題がある。
【０００６】
本発明の目的は、同じ送受話部を使用して折り畳んだ状態と筐体を開いた状態のいずれにおいても通話可能な折り畳み型携帯電話機を提供することにある。
【０００７】
本発明の他の目的は、折り畳んだ状態においても必要最小限の情報の確認を、消費電力を増加させることなく可能にする手段を提供することにある。
【０００８】
【課題を解決するための手段】
本発明の折り畳み可能な携帯電話機は、ヒンジ部によって回動可能に連結され、その内側の面を互いに当接又はほぼ当接状態に折り畳み可能に構成された第１の筐体と第２の筐体を備えるとともに、前記第１の筐体の内側の面に設けられた第１の表示部と、前記第１の筐体の長手方向先端部に内蔵された受話部と、前記第２の筐体の内側の面に設けられた複数のキー配列を有する操作部と、前記第２の筐体の側面に設けられた回動軸を中心として該側面内で回動可能なアームと、該アームの先端部に取り付けられ前記第１及び第２の筐体が開かれているときに前記第２の筐体の長手方向先端部側に位置し前記第１及び第２の筐体が折り畳まれているときに前記第２の筐体のヒンジ部側に位置するように前記アームにより移動可能な送話部とを備え、前記第１及び第２の筐体が開かれているとき及び前記１及び第２の筐体が折り畳まれているときのいずれにおいても、共通の受話部と送話部により通話が可能に構成したことを特徴とする。
【０００９】
また、前記第２の筐体の外面（背面）に、通話に最低限必要な操作を行う操作スイッチと、前記第１の表示部よりも表示容量の小さい第２の表示部を設け、第１及び第２の筐体を折り畳んだ状態での通話を可能とするとともに、筐体を折り畳んだ状態での消費電力を筐体を開いた状態での消費電力よりも少なくしたことを特徴とする。
【００１０】
本発明によれば、受話部を内蔵する第１の筐体の長手方向の寸法を第２の筐体の長手方向の寸法より長くし、且つ送話部であるマイクロホンを第２の筐体の側面から回動式のアームを通して出すことにより、筐体を開いた状態でも閉じた状態でも同じ送受話部を使用して通話を行うことができる。
【００１１】
また、筐体の背面（折り畳んだ状態で外側になる面）に電波状態等を表示する小型表示部と、通話に最低限必要な操作を行う操作スイッチを設けることによって、折り畳んだ状態での通話、待ち受け時・通話時の誤操作防止、通話時の消費電力の抑止が可能となる。
【００１２】
【発明の実施の形態】
図１および図２は、本発明の実施の形態を示す携帯電話機を示す斜視図であり、図１はヒンジ部１６の軸ａを中心にして携帯電話機１０を開いた状態を示し、図２は閉じた状態（折り畳んだ状態）を示している。
【００１３】
本発明の携帯電話機１０は、主として第１の筐体１１と第２の筐体１２、および送話部１３から構成される。第１の筐体１１の長手方向の寸法（Ａ＋Ｃ）は、第２の筐体１２の長手方向の寸法Ｂと比較して受話部１４寸法Ｃの分だけ長く、折り畳み時に第２の筐体１２は、第１の筐体１１の寸法Ａの部分に収納される。
【００１４】
受話部１４には音声または音楽等を出力するスピーカが内蔵されている。第１の筐体１１の内面寸法Ａの部分には大型表示部１７が配置されており、携帯電話機１０を開いた状態で使用するときに文字や画像による情報を表示する。
【００１５】
第２の筐体１２の内面に配置された操作部１８は、携帯電話機１０を開いた状態で、通話操作あるいはＥメールやゲーム等アプリケーション機能の操作をするときに使用する。センサ部１９は、携帯電話機１０が開いた状態か折り畳んだ状態かを検出するものであり、このセンサ部１９は、閉じた際の第１の筐体１１の圧力に応答するセンサあるいは光に応答するセンサ等、開いた状態と閉じた状態を識別可能であれば適宜の手段を採用することができる。
【００１６】
また送話部１３には、音声を入力するマイクロホンが内蔵されている。送話部１３は、第２の筐体１２の側面内で回動可能に設けられたアーム１５の先端部分に取り付けられており、アーム１５は、図１の軸ｂを中心として図１の位置から矢印方向に１８０度、反対方向に３０度程度まで回動する。
【００１７】
送話部１３は携帯電話機１０を開いた状態では第２の筐体１２の底部に位置しており（図１）、折り畳んだ状態ではアーム１５によって１８０度回動されて第２の筐体１２のヒンジ部１６に位置している（図２）。送話部１３と筐体１２内の回路との接続は、例えばアーム１５を筒状体によって構成し、この筒状内に設けた配線によって行うことができる。
【００１８】
一方、第２の筐体１２の外面（背面）には、小型表示部２０、オフフック操作スイッチ２１、オンフック／電源操作スイッチ２２、スクロール操作用スイッチ２３が設けられている。小型表示部２０は、携帯電話機１０を折り畳んだ状態で通話するときに、電波状態や電話番号等通話に必要な情報のみ文字や図で表示する。
【００１９】
第１の筐体１１の背面に設置されたオフフック操作スイッチ２１、オンフック／電源操作スイッチ２２、スクロール操作用スイッチ２３は、携帯電話機１０を折り畳んだ状態で、着信応答（オフフック）や、携帯電話機１０に内蔵された記憶装置に予め登録している相手の電話番号に対して送信（送話）するときに使用する。
【００２０】
次に、本発明の携帯電話機１０の動作について説明する。図１に示す筐体を開いた状態では、通話機能の他にＥメール、ゲーム等のアプリケーション機能を使用することができる。
【００２１】
入力は操作部１８によって行い、情報の確認は大型表示部１７によって行う。表示部１７を大型化（第１の筐体１１の内面の大半を占める面積）することによって前記機能の情報、例えばＥメールの文字情報や画像等、大量の情報を一度に確認することが可能である。
【００２２】
図１の開いた状態から図２の折り畳んだ状態にするには、先ずヒンジ部１６の軸ａを中心として第１の筐体１１と第２の筐体１２を重ね合わせ、次に送話部１３を軸ｂを中心にして矢印方向に１８０度回動させ、ヒンジ部１６の位置に置く。折り畳んだ状態から開いた状態にするには、前記手順を逆にすればよい。
【００２３】
折り畳んだ状態では、その機能は通話のみに限定されており、着呼に対して応答、通話を行うには、着呼を知らせる音あるいは振動等により着呼を確認したら、オフフック操作スイッチ２１を押し、送話部１３および受話部１４によって通話を行う。
【００２４】
発呼通話を行うには、オフフック操作スイッチ２１を押した後にスクロール操作スイッチ２３で内蔵記憶装置に予め記憶させた相手の電話番号を選択する。あるいは、スクロール操作スイッチ２３で相手の電話番号を選択後、オフフック操作スイッチ２１を押し、送話部１３および受話部１４によって通話を行う。
【００２５】
通話の切断および電源のＯＮ／ＯＦＦは、オンフック／電源操作スイッチ２２によって行う。また、通話に関する操作の確認には、小型表示部２０によって行う。折り畳んだ状態で表示させる情報は、電波状況や電話番号等のみでよいため、大型表示部１７よりは小型の表示部を備えていれば十分である。
【００２６】
開いた状態では通話機能の他に大量の文字情報や画像情報のやりとりを行うアプリケーション機能を有するため、消費電力が大きいのに対して、折り畳んだ状態では通話機能のみに限定しているため、大型表示部１７に情報を表示することもなく、通話に必要な電力のみに抑えることが可能となる。各操作部及び表示部への供給電源の切換は、開閉状態をセンサ部１９によって開いた状態又は折り畳んだ状態を検出することによって自動的に行われる。
【００２７】
なお、図２では、操作部を、第２の筐体１２の背面（折り畳んだ状態で外側になる面）に配置したが、第２の筐体１２の側面に設けても良く、また、操作するためのキーボタン数も図２に示されているものに限定されるものではなく、さらに、操作部の形態もキーボタンに限らずダイヤル等によって構成されていても良い。
【００２８】
また、携帯電話機１０は、ＦＤＭＡ方式、ＴＤＭＡ方式、ＣＤＭＡ方式あるいはＰＨＳ（Personal Handyphone Systemの略。別称簡易型携帯電話）の何れの方式であってもよい。
【００２９】
【発明の効果】
本発明によれば、折り畳んだ状態と筐体を開いた状態で共通の送受話部を使用することができるので、マイクロホンおよびスピーカの数を増やすことなく折り畳んだ状態での通話が可能となる。
【００３０】
また、第２の筐体の背面（折り畳んだ状態で外側になる面）に小型表示部を設置しているので、筐体を開くことなく電波状態等の情報を確認できる。
【００３１】
また、折り畳んだ状態で通話する際には、筐体の内面（折り畳んだ状態で内側になる面）に設置された大型表示部１７を動作させる必要がないので、消費電力を抑止することができる。
【００３２】
また、折り畳んだ状態で使用できる機能を通話機能のみに限定し、第２の筐体の背面に設置された表示部を小型化（小面積化）することができるので、携帯時表示部に傷がつきにくい。
【００３３】
また、通話のみを行う際には、折り畳んだ状態で第２の筐体の背面に設置された通話に必要な最低限の操作部のみによって行うことができるので、誤操作・誤動作を防止することができる。
【図面の簡単な説明】
【図１】本発明の携帯電話機の開いた状態を示す図である。
【図２】本発明の携帯電話機の折り畳んだ状態を示す図である。
【符号の説明】
１０  携帯電話機
１１  第１の筐体
１２  第２の筐体
１３  送話部
１４  受話部
１５  アーム
１６  ヒンジ部
１７  大型表示部
１８  開いた状態での操作部
１９  開閉センサ部
２０  小型表示部
２１  オフフック操作スイッチ
２２  オンフック／電源操作スイッチ
２３  スクロール操作スイッチ
Ａ  第１の筐体１１の受話部１４を除く長手方向寸法
Ｂ  第２の筐体１２の長手方向寸法
Ｃ  受話部１４の寸法
ａ  折り畳み軸
ｂ  アーム１５の回転軸
【図１】
0004081738.tif 000002
【図２】
0004081738.tif 000003